(57)【要約】【課題】簡易な構成で複数の光源からの光束を効率良くカップリングする光ピックアップ装置を提供する。【解決手段】ＤＶＤ５ａ、ＣＤ５ｂに対応した複数のレーザ光源１１Ｌ，１２Ｌと、そのレーザ光源１１Ｌ，１２Ｌに共通した第１カップリングレンズ（１群のレンズ）３１，第２カップリングレンズ（１群のレンズ）３２からなり、それらにより光束を集光するカップリングレンズ系（カップリングレンズ）３と、その集光された光束の開口径をレーザ光源１１Ｌ，１２Ｌに対応して変更しうるアパーチャ（開口部）４１ａ，４１ｂと、それらを通過した光束をレーザ光源１１Ｌ，１２Ｌに対応したＤＶＤ５ａ、ＣＤ５ｂそれぞれの記録面上に集光させる対物レンズ４２ａ，４２ｂとを備え、アパーチャ４１ａ，４１ｂの開口径に応じて、少なくとも１群のレンズを光軸方向ａに移動させるアクチュエータ（レンズ移動手段）３３を備える。【選択図】図１
2005259214.tif 000002
【特許請求の範囲】
【請求項１】
光源からの光束を光情報記録媒体の記録面上に集光させ、前記光情報記録媒体の記録と再生を行う光ピックアップ装置において、
複数の光情報記録媒体に対応した複数の光源と、
該複数の光源に共通した複数群のレンズからなり、該複数群のレンズによって前記光源からの光束を集光するカップリングレンズと、
該カップリングレンズにて集光された光束の開口径を前記複数の光源に対応して変更しうる開口部と、
該開口部を通過した光束を前記複数の光源に対応したそれぞれの光情報記録媒体の記録面上に集光させる対物レンズとを備え、
前記開口部の開口径に応じて、前記複数群のレンズのうちの少なくとも１群のレンズを光軸方向に移動させるレンズ移動手段を備えることを特徴とする光ピックアップ装置。
【請求項２】
前記対物レンズが前記複数の光源に共通していることを特徴とする請求項１に記載の光ピックアップ装置。
【請求項３】
前記複数の光源のうち少なくとも２つの光源が、両者の発光点距離が数１００μｍ以下となるように配設され、
前記カップリングレンズの少なくとも２群のレンズが、前記少なくとも２つの光源の開口径に応じて前記光軸方向に移動させるレンズ移動手段をそれぞれ備えることを特徴とする請求項１または２に記載の光ピックアップ装置。
【請求項４】
前記複数の光源のうち少なくとも２つの光源の波長が異なり、
前記レンズ移動手段により、前記開口部の開口径に応じて前記複数群のレンズのうちの少なくとも１群のレンズを前記光軸方向に移動させた後、
前記レンズ移動手段により、前記少なくとも２つの光源のそれぞれの波長に応じて前記複数群のレンズのうちの少なくとも１群のレンズを前記光軸方向にさらに移動させることを特徴とする請求項１に記載の光ピックアップ装置。
【請求項５】
前記複数の光情報記録媒体のうち少なくとも１つの光情報記録媒体が複数の記録面を有するように層状に形成され、
前記レンズ移動手段により、前記開口部の開口径に応じて前記複数群のレンズのうちの少なくとも１群のレンズを前記光軸方向に移動させた後、
前記レンズ移動手段により、前記複数の記録面に応じて前記複数群のレンズのうちの少なくとも１群のレンズを前記光軸方向にさらに移動させることを特徴とする請求項１に記載の光ピックアップ装置。
【請求項６】
前記複数の光情報記録媒体のうち少なくとも１つの光情報記録媒体は光透過層を有し、
前記レンズ移動手段により、前記開口部の開口径に応じて前記複数群のレンズのうちの少なくとも１群のレンズを前記光軸方向に移動させた後、
前記レンズ移動手段により、前記光透過層の厚さ誤差に応じて前記複数群のレンズのうちの少なくとも１群のレンズを前記光軸方向にさらに移動させることを特徴とする請求項１に記載の光ピックアップ装置。
【請求項７】
前記レンズ移動手段により、前記開口部の開口径に応じて前記複数群のレンズのうちの少なくとも１群のレンズを前記光軸方向に移動させた後、
前記レンズ移動手段により、前記光源の波長変動に応じて前記複数群のレンズのうちの少なくとも１群のレンズを前記光軸方向にさらに移動することを特徴とする請求項１に記載の光ピックアップ装置。
【請求項８】
前記複数の光源のうち少なくとも１つの光源に対応した球面収差検出手段を備えることを特徴とする請求項１に記載の光ピックアップ装置。
【請求項９】
前記カップリングレンズは、前記複数の光源のうち少なくとも１つ以上の光源からの光束を前記記録面上に集光して形成されるスポットの色収差を補正する色消しレンズであることを特徴とする請求項１に記載の光ピックアップ装置。
【請求項１０】
前記複数の光源のうち少なくとも１つ以上の光源と、前記カップリングレンズとの光路に、前記光源からの光束の発散度を変更するレンズを備えることを特徴とする請求項１に記載の光ピックアップ装置。
【請求項１１】
請求項１ないし１０のいずれかに記載の光ピックアップ装置を搭載したことを特徴とする光ディスクドライブ装置。
【発明の詳細な説明】
【技術分野】
【０００１】
本発明は、光源からの光束を光情報記録媒体の記録面上に集光させ、前記光情報記録媒体の記録と再生を行う光ピックアップ装置及び、その光ピックアップ装置を搭載した光ディスクドライブ装置に関する。
【背景技術】
【０００２】
近年、光ディスクシステムに対する高記録密度化及び大容量化の要求がますます高まってきている。記録密度を向上させるためには、光ピックアップ装置に用いられている対物レンズの開口数（ＮＡ）を大きくするとともに、使用する光の波長を短くして、対物レンズによって集光される光のスポット径を小径化することが有効である。
【０００３】
また、大容量化に伴い、記録再生速度の向上も強く求められており、光源の高出力化、光学系の高効率化も重要な課題となっている。さらに、新しい規格の光ディスクシステムにおいて、従来市販されてきたＣＤやＤＶＤディスクの記録再生が可能であるという互換性を有することも望まれている。
【０００４】
例えば、ＣＤでは、対物レンズの開口数（ＮＡ）０．４５、波長７８０ｎｍであったのに対して、ＤＶＤでは、対物レンズの開口数（ＮＡ）０．６５、波長６６０ｎｍであり、ＣＤよりもさらに高記録密度化及び大容量化がなされている。近年はさらにＢｌｕ−ｒａｙディスクと呼ばれる、対物レンズの開口数（ＮＡ）０．８５、波長４０５ｎｍの光ディスクシステム、あるいはＡＯＤと呼ばれる、対物レンズの開口数（ＮＡ）０．６５、波長４０５ｎｍの光ディスクシステムなどが開発されている。
複数の光源を持つ光ピックアップ装置では、光学系の簡易化のために光学部品、とりわけ対物レンズやカップリングレンズを共通化する技術が開発されてきている。
【０００５】
図１０に従来のＣＤ／ＤＶＤの光ピックアップ装置の光学系の概略を示す。
光ピックアップ装置の光学系は、ＤＶＤホロユニット１１１、カップリングレンズ１１０、ビームスプリッタ１２１、対物レンズ１４２ａ，１４２ｂをこの順にほぼ一直線上に備える。一方、この直線からほぼ直角方向にＣＤホロユニット１１２、カップリングレンズ１２０をこの順にビームスプリッタ１２１に向かってほぼ一直線上に備えている。そして、対物レンズ１４２ａ，１４２ｂを駆動するアクチュエータ１１４を備える。
【０００６】
ＤＶＤホロユニット１１１は、光源１１１Ｌ、ディスク反射光からの信号光を分離するためのホログラム１１１ｈ、信号検出のための受光素子１１１ｐが一体となっている。同様に、ＣＤホロユニット１１２においても、光源１１２Ｌ、ホログラム１１２ｈ、受光素子１１２ｐが一体となっている。
【０００７】
対物レンズ１４２ａ，１４２ｂは、ＣＤとＤＶＤとで異なり、対物レンズ１４２ａ，１４２ｂの光源１１１Ｌ，１１２Ｌ側には、それぞれの対物レンズ１４２ａ，１４２ｂに対して、ＤＶＤ用の開口１４１ａとＣＤ用の開口１４１ｂとが配置されている。これらの開口１４１ａ，１４１ｂは対物レンズホルダーの開口を用いて兼用される。
【０００８】
なお、対物１４２ａ，１４２ｂレンズと開口１４１ａ，１４１ｂとは一体となってレンズアクチェータ４により、フォーカス方向とトラック方向に駆動される。なお、１１５ａはＤＶＤディスク、１１５ｂはＣＤディスクである。
また、カップリングレンズ１１０，１２０はそれぞれの開口や、光源光束の最適な取り込み角度が異なるために、光源１１１Ｌ，１１２Ｌ毎に焦点距離の異なるレンズが採用される。
【０００９】
カップリングレンズ１１０の焦点距離をｆ１、カップリングレンズ１２０の焦点距離をｆ２とすると、ビームスプリッタ２への入射手前で少なくともｆ１、ｆ２以上の光路長が必要となるために光学系が大きくなってしまうという問題がある。
また、カップリングレンズ１１０，１２０を共通化すると、片方の光源についてカップリング効率が低下してディスク１１５ａ，１１５ｂ面上のスポットパワーが低下してしまうという問題がある。
【００１０】
これは、スポット径は、前述した波長と開口数（ＮＡ）以外にも、光軸中心部の光量に対する開口周辺部での光量比（ＲＩＭ）によっても影響を受ける。ＲＩＭが大きくなるとスポット径は小さくなるが、光源からの光束を有効にディスク面上のスポットに集光するカップリング効率が低下し、パワー不足となって記録再生速度が低下してしまうという問題があった。
なお、通常の光ディスクシステムにおいては、例えば以下のようにＲＩＭの設計目標値が決められている。
【００１１】
ＲＩＭの最小値（約）
ＣＤ                  ：１５％
ＤＶＤ                ：３０％
Ｂｌｕ−ｒａｙ／ＡＯＤ：５０％
【００１２】
ＮＡの等しいＤＶＤとＡＯＤの場合においてカップリングレンズを共通にすると、例えばカップリングレンズの焦点距離をＡＯＤのＲＩＭ５０％に合わせると、ＤＶＤ側でも５０％程度となってしまい、ＤＶＤのカップリング効率が低下する。また、ＤＶＤの３０％に合わせると、同様にＡＯＤ側も３０％程度となり、スポット径が増大してしまうという問題があった。さらに、開口数（ＮＡ）の異なる組み合わせでは、このような不具合が増大してしまうという問題があった。
【００１３】
そこで、２光源の片側光源に集光レンズを持つ第２の光源とダイクロイックプリズムとの間には、発散光束の広がり角をより小さな広がり角に変換してダイクロイックプリズムに導く集束光学系とを備える光ディスクドライブ装置が開示されており（例えば特許文献１）、２つの光源の片側に集光レンズを持たせることにより、この不具合を解決した。
【００１４】
また、色収差や球面収差を補正する従来技術として、カップリングレンズの１群を駆動させる例がある（例えば特許文献２）。詳しくは、カップリングレンズの１群を駆動して基板厚誤差を補正カップリングレンズを構成する２つのレンズ要素のうち、少なくとも１つを光軸方向に沿って変移可能とすることで、集光光学系中の各光学面、特に対物レンズの光学面で生じる球面収差の変動が補正可能となる。
【００１５】
従来の光情報記録媒体より高密度に情報を記録又は高密度記録された情報を再生するために必要な高開口数の対物レンズを用いた場合に問題となる、レーザ光源の発振波長の微少変動、温湿度変化、又は光情報記録媒体の透明基板の厚さの誤差等に起因して対物レンズで大きく発生する球面収差をリアルタイムで補正できるので、常に光情報記録媒体の情報記録面に適正なスポットを形成することができる。
【００１６】
【特許文献１】特開２００１−１２６２９８号公報
【特許文献２】特開２００２−１９７７１２号公報
【発明の開示】
【発明が解決しようとする課題】
【００１７】
しかし、上記特許文献１では、２光源が近接配置されて１つのパッケージに実装された構成では、適用できない。また、光源の波長変動、多層ディスク、ディスクの基板厚誤差によって発生する色収差や球面収差を補正できないなどの問題があった。
また、上記特許文献２では、光源が１つしかなく、複数の光情報記録媒体に対応することができないという問題があった。
【００１８】
本発明の目的は、以上のような従来の実情に鑑みて提案されたものであり、複数光源を持つ光ピックアップ装置において、簡易な構成で各々の光源からの光束を効率良くカップリングすると共に、光源の波長変動、多層ディスク、ディスクの基板厚誤差によって発生する色収差や球面収差をも補正可能な光ピックアップ装置を提供することにある。
【課題を解決するための手段】
【００１９】
請求項１に記載の発明は、光源からの光束を光情報記録媒体の記録面上に集光させ、前記光情報記録媒体の記録と再生を行う光ピックアップ装置において、
複数の光情報記録媒体に対応した複数の光源と、
該複数の光源に共通した複数群のレンズからなり、該複数群のレンズによって前記光源からの光束を集光するカップリングレンズと、
該カップリングレンズにて集光された光束の開口径を前記複数の光源に対応して変更しうる開口部と、
該開口部を通過した光束を前記複数の光源に対応したそれぞれの光情報記録媒体の記録面上に集光させる対物レンズとを備え、
前記開口部の開口径に応じて、前記複数群のレンズのうちの少なくとも１群のレンズを光軸方向に移動させるレンズ移動手段を備えることを特徴とする。
【００２０】
請求項１の発明によれば、複数の光情報記録媒体に対応した複数の光源と、その複数の光源に共通した複数群のレンズからなり、その複数群のレンズによって光源からの光束を集光するカップリングレンズと、そのカップリングレンズにて集光された光束の開口径を複数の光源に対応して変更しうる開口部と、その開口部を通過した光束を複数の光源に対応したそれぞれの光情報記録媒体の記録面上に集光させる対物レンズとを備え、開口部の開口径に応じて、複数群のレンズのうちの少なくとも１群のレンズを光軸方向に移動させるレンズ移動手段を備えるので、カップリングレンズの移動量を開口径と光源からの光束の最適な取り込み角から決めることが可能となり、各光源について常に最適なスポット径や最高のカップリング効率を得ることが可能となる。従って、簡易な構成で高速高性能な多波長光ピックアップ装置が提供可能となる。
【００２１】
請求項２に記載の発明は、請求項１に記載の光ピックアップ装置において、前記対物レンズが前記複数の光源に共通していることを特徴とする。
【００２２】
請求項２の発明によれば、対物レンズが複数の光源に共通しているので、複数の光源に対してカップリングレンズと対物レンズを共通にした従来の光学系では、各光源ごとに対物レンズを設定した時よりも、光源ごとのカップリング効率を最適化しにくくなってしまうが、本発明により、カップリングレンズと対物レンズを共通化しても、光源ごとに最適なカップリング効率が設定可能となり、かつ光学系が小型化可能となる。
【００２３】
請求項３に記載の発明は、請求項１または２に記載の光ピックアップ装置において、前記複数の光源のうち少なくとも２つの光源が、両者の発光点距離が数１００μｍ以下となるように配設され、
前記カップリングレンズの少なくとも２群のレンズが、前記少なくとも２つの光源の開口径に応じて前記光軸方向に移動させるレンズ移動手段をそれぞれ備えることを特徴とする。
【００２４】
請求項３の発明によれば、複数の光源のうち少なくとも２つの光源が、両者の発光点距離が数１００μｍ以下となるように配設され、カップリングレンズの少なくとも２群のレンズが、少なくとも２つの光源の開口径に応じて光軸方向に移動させるレンズ移動手段をそれぞれ備えるので、２つの光源を１つのパッケージに収めた従来の光学系において、片方の光源のカップリング効率の低下は避けられなかったが、本発明により、各光源ごとに最適なカップリング効率を設定可能となり、かつ光学系が小型化可能となる。
【００２５】
請求項４に記載の発明は、請求項１に記載の光ピックアップ装置において、前記複数の光源のうち少なくとも２つの光源の波長が異なり、
前記レンズ移動手段により、前記開口部の開口径に応じて前記複数群のレンズのうちの少なくとも１群のレンズを前記光軸方向に移動させた後、
前記レンズ移動手段により、前記少なくとも２つの光源のそれぞれの波長に応じて前記複数群のレンズのうちの少なくとも１群のレンズを前記光軸方向にさらに移動させることを特徴とする。
【００２６】
請求項４の発明によれば、複数の光源のうち少なくとも２つの光源の波長が異なり、レンズ移動手段により、開口部の開口径に応じて複数群のレンズのうちの少なくとも１群のレンズを光軸方向に移動させた後、レンズ移動手段により、少なくとも２つの光源のそれぞれの波長に応じて複数群のレンズのうちの少なくとも１群のレンズを光軸方向にさらに移動させるので、カップリングレンズの移動により、各光源ごとに最適なカップリング効率を満足しつつ、かつ色収差を補正し、最良のスポットを得ることが可能となり、高速で高性能な多波長光ピックアップ装置が提供可能となる。
【００２７】
請求項５に記載の発明は、請求項１に記載の光ピックアップ装置において、前記複数の光情報記録媒体のうち少なくとも１つの光情報記録媒体が複数の記録面を有するように層状に形成され、
前記レンズ移動手段により、前記開口部の開口径に応じて前記複数群のレンズのうちの少なくとも１群のレンズを前記光軸方向に移動させた後、
前記レンズ移動手段により、前記複数の記録面に応じて前記複数群のレンズのうちの少なくとも１群のレンズを前記光軸方向にさらに移動させることを特徴とする。
【００２８】
請求項５の発明によれば、複数の光情報記録媒体のうち少なくとも１つの光情報記録媒体が複数の記録面を有するように層状に形成され、レンズ移動手段により、開口部の開口径に応じて複数群のレンズのうちの少なくとも１群のレンズを光軸方向に移動させた後、レンズ移動手段により、複数の記録面に応じて複数群のレンズのうちの少なくとも１群のレンズを光軸方向にさらに移動させるので、多層のディスクにおいても球面収差を補正可能とし、最良のスポットを得ることが可能となり、高速で高性能な多波長光ピックアップ装置が提供可能となる。
【００２９】
請求項６に記載の発明は、請求項１に記載の光ピックアップ装置において、前記複数の光情報記録媒体のうち少なくとも１つの光情報記録媒体は光透過層を有し、
前記レンズ移動手段により、前記開口部の開口径に応じて前記複数群のレンズのうちの少なくとも１群のレンズを前記光軸方向に移動させた後、
前記レンズ移動手段により、前記光透過層の厚さ誤差に応じて前記複数群のレンズのうちの少なくとも１群のレンズを前記光軸方向にさらに移動させることを特徴とする。
【００３０】
請求項６の発明によれば、複数の光情報記録媒体のうち少なくとも１つの光情報記録媒体は光透過層を有し、レンズ移動手段により、開口部の開口径に応じて複数群のレンズのうちの少なくとも１群のレンズを光軸方向に移動させた後、レンズ移動手段により、光透過層の厚さ誤差に応じて複数群のレンズのうちの少なくとも１群のレンズを光軸方向にさらに移動させるので、光透過層の厚さ誤差のあるディスクにおいても球面収差が補正可能となり、最良のスポットを得ることが可能となり、高速で高性能な多波長光ピックアップ装置が提供可能となる。
【００３１】
請求項７に記載の発明は、請求項１に記載の光ピックアップ装置において、前記レンズ移動手段により、前記開口部の開口径に応じて前記複数群のレンズのうちの少なくとも１群のレンズを前記光軸方向に移動させた後、
前記レンズ移動手段により、前記光源の波長変動に応じて前記複数群のレンズのうちの少なくとも１群のレンズを前記光軸方向にさらに移動することを特徴とする。
【００３２】
請求項７の発明によれば、レンズ移動手段により、開口部の開口径に応じて複数群のレンズのうちの少なくとも１群のレンズを光軸方向に移動させた後、レンズ移動手段により、光源の波長変動に応じて複数群のレンズのうちの少なくとも１群のレンズを光軸方向にさらに移動するので、光源の波長が温度変化などで変動した場合においても、色収差を補正することが可能となり、最良のスポットを得ることが可能となり、高速で高性能な多波長光ピックアップ装置が提供可能となる。
【００３３】
請求項８に記載の発明は、請求項１に記載の光ピックアップ装置において、前記複数の光源のうち少なくとも１つの光源に対応した球面収差検出手段を備えることを特徴とする。
【００３４】
請求項８の発明によれば、複数の光源のうち少なくとも１つの光源に対応した球面収差検出手段を備えるので、光源による波長の違いや温度変化による波長変動によって発生する色収差、多層ディスクや光透過層の厚さ誤差によって発生する球面収差が総合的に補正可能となり、最良のスポットを得ることが可能となり、高速で高性能な多波長光ピックアップ装置が提供可能となる。
【００３５】
請求項９に記載の発明は、請求項１に記載の光ピックアップ装置において、前記カップリングレンズは、前記複数の光源のうち少なくとも１つ以上の光源からの光束を前記記録面上に集光して形成されるスポットの色収差を補正する色消しレンズであることを特徴とする。
【００３６】
請求項９の発明によれば、カップリングレンズは、複数の光源のうち少なくとも１つ以上の光源からの光束を記録面上に集光して形成されるスポットの色収差を補正する色消しレンズであるので、モードホップなど、光源の出力パワー変化による瞬時の波長変動時の色収差にも対応して補正可能となり、常に最良のスポットを得ることが可能となり、高速で高性能な多波長光ピックアップ装置が提供可能となる。
【００３７】
請求項１０に記載の発明は、請求項１に記載の光ピックアップ装置において、前記複数の光源のうち少なくとも１つ以上の光源と、前記カップリングレンズとの光路に、前記光源からの光束の発散度を変更するレンズを備えることを特徴とする。
【００３８】
請求項１０の発明によれば、複数の光源のうち少なくとも１つ以上の光源と、カップリングレンズとの光路に、光源からの光束の発散度を変更するレンズを備えるので、補助のレンズを設けることにより、カップリングレンズの移動量を少なくすることができて光学系を小型化可能とする。
【００３９】
請求項１１に記載の発明は、請求項１ないし１０のいずれかに記載の光ピックアップ装置を搭載したことを特徴とする光ディスクドライブ装置である。
【発明の効果】
【００４０】
請求項１に記載の発明によれば、複数の光情報記録媒体に対応した複数の光源と、その複数の光源に共通した複数群のレンズからなり、その複数群のレンズによって光源からの光束を集光するカップリングレンズと、そのカップリングレンズにて集光された光束の開口径を複数の光源に対応して変更しうる開口部と、その開口部を通過した光束を複数の光源に対応したそれぞれの光情報記録媒体の記録面上に集光させる対物レンズとを備え、開口部の開口径に応じて、複数群のレンズのうちの少なくとも１群のレンズを光軸方向に移動させるレンズ移動手段を備えるので、カップリングレンズの移動量を開口径と光源からの光束の最適な取り込み角から決めることができ、各光源について常に最適なスポット径や最高のカップリング効率を得ることができる。よって、簡易な構成で高速高性能な多波長の光ピックアップ装置を提供することができる。
【００４１】
請求項２に記載の発明によれば、対物レンズが複数の光源に共通しているので、カップリングレンズと対物レンズを共通化しても、光源ごとに最適なカップリング効率が設定可能で、かつコンパクトな多波長の光ピックアップ装置を提供することができる。
【００４２】
請求項３に記載の発明によれば、複数の光源のうち少なくとも２つの光源が、両者の発光点距離が数１００μｍ以下となるように配設され、カップリングレンズの少なくとも２群のレンズが、少なくとも２つの光源の開口径に応じて光軸方向に移動させるレンズ移動手段をそれぞれ備えるので、各光源ごとに最適なカップリング効率を設定可能で、かつコンパクトな多波長の光ピックアップ装置を提供することができる。
【００４３】
請求項４に記載の発明によれば、複数の光源のうち少なくとも２つの光源の波長が異なり、レンズ移動手段により、開口部の開口径に応じて複数群のレンズのうちの少なくとも１群のレンズを光軸方向に移動させた後、レンズ移動手段により、少なくとも２つの光源のそれぞれの波長に応じて複数群のレンズのうちの少なくとも１群のレンズを光軸方向にさらに移動させるので、カップリングレンズの移動により、各光源ごとに最適なカップリング効率を満足しつつ、かつ色収差を補正して、最良のスポットを得ることができ、高速で高性能な多波長光ピックアップ装置を提供することができる。
【００４４】
請求項５に記載の発明によれば、複数の光情報記録媒体のうち少なくとも１つの光情報記録媒体が複数の記録面を有するように層状に形成され、レンズ移動手段により、開口部の開口径に応じて複数群のレンズのうちの少なくとも１群のレンズを光軸方向に移動させた後、レンズ移動手段により、複数の記録面に応じて複数群のレンズのうちの少なくとも１群のレンズを光軸方向にさらに移動させるので、多層のディスクにおいても球面収差が補正可能となり、最良のスポットを得ることができ、高速で高性能な多波長光ピックアップ装置を提供することができる。
【００４５】
請求項６に記載の発明によれば、複数の光情報記録媒体のうち少なくとも１つの光情報記録媒体は光透過層を有し、レンズ移動手段により、開口部の開口径に応じて複数群のレンズのうちの少なくとも１群のレンズを光軸方向に移動させた後、レンズ移動手段により、光透過層の厚さ誤差に応じて複数群のレンズのうちの少なくとも１群のレンズを光軸方向にさらに移動させるので、光透過層の厚さ誤差のあるディスクにおいても球面収差が補正可能となり、最良のスポットを得ることができ、高速で高性能な多波長光ピックアップ装置を提供することができる。
【００４６】
請求項７に記載の発明によれば、レンズ移動手段により、開口部の開口径に応じて複数群のレンズのうちの少なくとも１群のレンズを光軸方向に移動させた後、レンズ移動手段により、光源の波長変動に応じて複数群のレンズのうちの少なくとも１群のレンズを光軸方向にさらに移動するので、光源の波長が温度変化などで変動した場合においても、色収差を補正することが可能となり、最良のスポットを得ることができ、高速で高性能な多波長光ピックアップ装置を提供することができる。
【００４７】
請求項８に記載の発明によれば、複数の光源のうち少なくとも１つの光源に対応した球面収差検出手段を備えるので、光源による波長の違いや温度変化による波長変動によって発生する色収差、多層ディスクや光透過層の厚さ誤差によって発生する球面収差が総合的に補正することが可能となり、最良のスポットを得ることができ、高速で高性能な多波長光ピックアップ装置を提供することができる。
【００４８】
請求項９に記載の発明によれば、カップリングレンズは、複数の光源のうち少なくとも１つ以上の光源からの光束を記録面上に集光して形成されるスポットの色収差を補正する色消しレンズであるので、モードホップなど、光源の出力パワー変化による瞬時の波長変動時の色収差にも対応して補正が可能となり、常に最良のスポットを得ることができ、高速で高性能な多波長光ピックアップ装置を提供することができる。
【００４９】
請求項１０に記載の発明によれば、複数の光源のうち少なくとも１つ以上の光源と、カップリングレンズとの光路に、光源からの光束の発散度を変更するレンズを備えるので、補助のレンズを設けることにより、カップリングレンズの移動量を少なくすることができ、かつコンパクトな多波長の光ピックアップ装置を提供することができる。
【００５０】
請求項１１に記載の発明によれば、上記いずれかの効果を奏する光ピックアップ装置を搭載した光ディスクドライブ装置を提供することができる。
【発明を実施するための最良の形態】
【００５１】
図１（ａ），（ｂ）はこの発明の光ピックアップ装置の一実施の形態の光学系を示したものである。光学系１は、第１ホログラムユニット１１、ビームスプリッタ２、カップリングレンズ系３、アクチュエータ４をこの順にほぼ一直線上に備える。一方、この直線からほぼ直角方向に第２ホログラムユニット１２をビームスプリッタ２に向かって備えている。
なお、カップリングレンズ系（カップリングレンズ）３は、第１カップリングレンズ（１群のレンズ）３１，第２カップリングレンズ（１群のレンズ）３２，第２カップリングレンズ３２を光軸方向ａに駆動する１軸のアクチュエータ３３などを備える。
また、アクチュエータ４は、アパーチャ（開口部）４１ａ，４１ｂ、対物レンズ４２ａ,４２ｂ、ホルダ４３などを備え、対物レンズ４２ａ,４２ｂを駆動する。
【００５２】
なお、第１ホログラムユニット１１には、レーザ光源１１Ｌと、ディスクからの反射光を回折して必要な信号を得るためのホログラム素子１１ｈ、各種信号を生成するための受光素子１１ｐを備える。
同様に、第２ホログラムユニット１２には、レーザ光源１２Ｌと、ディスクからの反射光を回折して必要な信号を得るためのホログラム素子１２ｈ、各種信号を生成するための受光素子１２ｐを備える。
【００５３】
図１（ａ）は第１ホログラムユニット１１が発光した状態を示した図である。この図において、第１ホログラムユニット１１からの発散光束は、ビームスプリッタ２を透過して第１カップリングレンズ３１を透過した後、第２カップリングレンズ３２を透過する。カップリングレンズ系の焦点距離ｆａとすると、発光点（レーザ光源１１Ｌ）が焦点位置にある時には透過光は平行光となり、アパーチャ４１ａで開口径を制限された後に対物レンズ４２ａによりＤＶＤ（光情報記録媒体）５ａの記録面上に集光する。ＤＶＤ５ａからの反射光は、対物レンズ４２ａ、第２カップリングレンズ３２、第１カップリングレンズ、ビームスプリッタ２を経て、再びホログラムユニット１１に入射して、受光素子１１ｐによりトラック信号、フォーカス信号、情報信号などを生成する。
なお、対物レンズ４２ａは２軸のアクチェータ４により、トラック信号やフォーカス信号に従ってサーボがかけられて常にディスクの動きに追従してＤＶＤ５ａ上に回折限界のスポットを集光する。
【００５４】
図１（ｂ）は第２ホログラムユニット１２が発光した状態を示した図である。この図において、第２ホログラムユニット１２からの発散光束は、ビームスプリッタ２を経て第１カップリングレンズ３１を透過した後、第２カップリングレンズ３２を透過する。カップリングレンズ系の焦点距離ｆｂとすると、発光点（レーザ光源１２Ｌ）が焦点位置にある時には透過光は平行光となり、アパーチャ４１ｂで開口径を制限された後に対物レンズ４２ｂによりＣＤ（光情報記録媒体）５ｂの記録面上に集光する。ＣＤ５ｂからの反射光は、対物レンズ４２ｂ、第２カップリングレンズ３２、第１カップリングレンズ、ビームスプリッタ２を経て、再び第２ホログラムユニット１２に入射して、受光素子１２ｐによりトラック信号、フォーカス信号、情報信号などを生成する。
なお、対物レンズ４２ｂは２軸のアクチェータ４により、トラック信号やフォーカス信号に従ってサーボがかけられて常にディスクの動きに追従してＣＤ５ｂ上に回折限界のスポットを集光する。
【００５５】
ここで、第２カップリングレンズ３２は、１軸のアクチェータ３３により光軸方向ａに移動しているために、カップリングレンズ系（第１カップリングレンズ３１，第２カップリングレンズ３２）３での焦点距離ｆｂを図１（ａ）の焦点距離ｆａと違えることができる。
すなわち、一般に２つの薄肉レンズ系における合成焦点距離ｆは以下の式で与えられる。
１／ｆ＝１／ｆ１＋１／ｆ２−ｄ／（ｆ１×ｆ２）            ・・・（１）
ｆ１：第１カップリングレンズの焦点距離
ｆ２：第２カップリングレンズの焦点距離
ｄ：第１カップリングレンズと第２カップリングレンズとの間隔
従って、ｄを変えることによりｆを変えることができる。
【００５６】
第２ホログラムユニット１２の発光点（レーザ光源１２Ｌ）とカップリングレンズ系３との焦点距離がｆｂの位置にある時には、カップリングレンズ系３からアパーチャ４１ｂへの透過光は平行光となる。そして、アパーチャ４１ｂで開口径を制限された後、対物レンズ４２ｂによりＣＤ５ｂの記録面上に集光する。
２つのレーザ光源１１Ｌ，１２Ｌについて、対物レンズ４２ａ，４２ｂの開口径φとＲＩＭ仕様を満足する発散光束の取り込み角度θが決まると、カップリングレンズ系３の焦点距離ｆは以下の式で与えられる。
ｆ＝φ／（２×ｓｉｎθ）                                  ・・・（２）
従って、（１），（２）式から各々のレーザ光源１１Ｌ，１２Ｌについて、最適なθの値から合成焦点距離ｆを求め、これより、第１カップリングレンズと第２カップリングレンズとの間隔ｄの値を求めて、第２カップリングレンズ３２の移動すべき値を得ることができる。
カップリングレンズ系３からの光束が非平行光の場合にも、同様の計算式により上記第１カップリングレンズと第２カップリングレンズとの間隔ｄの値を求めることができる。
ここで１例として、ＡＯＤとＤＶＤの場合について、具体的な設計例を下記表１に示す。
【００５７】
【表１】
2005259214.tif 000003
【００５８】
上記表１と図２（ａ）より、ＡＯＤのレーザ光源からの取り込み角度θaodは、光源の発散角（半値全角）の１／２、すなわち５°となる。
従って（２）式からｆａ＝３．９／（２×ｓｉｎ５°）＝２２．４ｍｍが得られる。
【００５９】
一方、図２（ｂ）において、ＤＶＤのレーザ光源からの取り込み角度θdvdは、ガウス分布の一般式から以下の式で与えられる。
θdvd＝  〔{ｌｎ（Ｒａ）／ｌｎ（Ｒｂ）}×θaod2〕1/2        ・・・（３）
この（３）式において、Ｒａ＝０．３，Ｒｂ＝０．５，θdvd＝６．６°とすると、（２）式からｆｂ＝１７．０ｍｍを得る。
また、（１）式において、ｆ１＝１２ｍｍ，ｆ２＝−２０ｍｍとすると、合成焦点距離は、ｄａ＝３ｍｍ、ｄｂ＝６ｍｍ付近で、それぞれｆａとｆｂの値を得る。
【００６０】
以上の結果から、実際にカップリングレンズ系３を設計した例を図３（ａ），（ｂ）に示す。
カップリングレンズＬ１の厚みを２．０ｍｍ，カップリングレンズＬ２の厚みを１．２ｍｍとし、それぞれのレンズの焦点距離をｆ１＝１２ｍｍ，ｆ２＝−２０ｍｍとすると、合成焦点距離は、ｄａ＝１．５ｍｍ，ｄｂ＝４．５ｍｍ付近で、それぞれｆａ＝２２．４ｍｍ，ｆｂ＝１７．０ｍｍとなった。
すなわち、カップリングレンズＬ１をカップリングレンズＬ２から遠ざける方向に３ｍｍ移動させることにより、それぞれの開口径に対するＲＩＭの最小値を得て、条件を満足することができる。
【００６１】
ところで、対物レンズ４２ａ，４２ｂは例えば図４に示すような、回転切替え式の２軸アクチェータ４に搭載される。
すなわち、アクチュエータ４は、円盤状のホルダ４３の厚み方向に２つの貫通孔を形成し、それぞれにアパーチャ４１ａ，４１ｂと対物レンズ４２ａ，４２ｂとを備える。そして、ホルダ４３の中心に軸４４を貫通させて、この軸４４を回転中心として矢印のＢ方向に回転自在にする。また、ホルダ４３の外周部には、コイル４５を設ける。このコイル４５は、例えばトラックコイルとフォーカスコイルの機能を備える。さらに、コイル４５の外側には、コイル４５と所定の間隙をもって近接してマグネット４６を支持部４８に設ける。そして、ホルダ４３の下方には、立ち上げミラー４７を設ける。
このように構成されたアクチュエータ４は図４（ａ）において、光束Ａが立上げミラー４７で反射して開口４１ａを経て対物レンズ４２ａに入射する。このアクチュエータ４はＢ方向に回転することにより、対物レンズ４２ａ，４２ｂの切替えと、トラッキングサーボ動作を行なう。
ホルダ４３はさらに、コイル４５とマグネット４６との磁力により矢印のＣ方向に移動してフォーカスサーボ動作を行なう。
【００６２】
すなわち、図１（ａ），（ｂ）に示したように、レーザ光源１１Ｌ，１２Ｌからの光束をＤＶＤ５ａ、ＣＤ５ｂ（ともに光情報記録媒体）の記録面上に集光させ、ＤＶＤ５ａ、ＣＤ５ｂの記録と再生を行う光ピックアップ装置において、ＤＶＤ５ａ、ＣＤ５ｂに対応した複数のレーザ光源１１Ｌ，１２Ｌと、そのレーザ光源１１Ｌ，１２Ｌに共通した第１カップリングレンズ（１群のレンズ）３１，第２カップリングレンズ（１群のレンズ）３２からなり、その第１カップリングレンズ３１，第２カップリングレンズ３２によってレーザ光源１１Ｌ，１２Ｌからの光束を集光するカップリングレンズ系（カップリングレンズ）３と、そのカップリングレンズ系３にて集光された光束の開口径をレーザ光源１１Ｌ，１２Ｌに対応して変更しうるアパーチャ（開口部）４１ａ，４１ｂと、そのアパーチャ４１ａ，４１ｂを通過した光束をレーザ光源１１Ｌ，１２Ｌに対応したそれぞれのＤＶＤ５ａ、ＣＤ５ｂの記録面上に集光させる対物レンズ４２ａ，４２ｂとを備え、アパーチャ４１ａ，４１ｂの開口径に応じて、第１カップリングレンズ３１，第２カップリングレンズ３２のうちの少なくとも１群のカップリングレンズを光軸方向ａに移動させるアクチュエータ（レンズ移動手段）３３を備える。
なお、本発明において、光学系のレーザ光源は２つに限定されるものではない。また、カップリングレンズ系のレンズ群は２つに限定されるものではない。
【００６３】
図５（ａ）は、ホログラムユニット１１´に、２つのレーザ光源１１Ｌ１，１１Ｌ２を有する光ピックアップ装置の光学系１ａを示した図である。
この光学系１ａにおいては、ホログラム１１ｈや受光素子１１ｐは２つのレーザ光源１１Ｌ１，１１Ｌ２で共通である。そして、第１カップリングレンズ３１、第２カップリングレンズ３２をそれぞれ１軸アクチェータ３４、３３で光軸方向ａに独立して駆動させることによって、２つのレーザ光源１１Ｌ１，１１Ｌ２についてそれぞれ最適なＲＩＭとカップリング効率を得ることができるようになっている。このとき、２つのレーザ光源１１Ｌ１，１１Ｌ２の発光点距離は、数１００μｍ以下となるようにする。
なお、この場合、図１における対物レンズ４２ａ，４２ｂは、片方の入射光束を発散光にしたり、レンズ面に回折格子を設けた回折レンズにすることにより共通化して対物レンズ４２とする。その際には、アパーチャ４１ａ，４１ｂも波長選択性を持った波長フィルターや回折格子で共通化してアパーチャ４１とする。
すなわち、対物レンズ４２ａ，４２ｂがレーザ光源１１Ｌ，１２Ｌに共通している。
また、２つのレーザ光源１１Ｌ，１２Ｌが、両者の発光点距離が数１００μｍ以下となるように配設され、カップリングレンズ系３の第１カップリングレンズ３１、第２カップリングレンズ３２が、２つのレーザ光源１１Ｌ，１２Ｌの開口径に応じて光軸方向ａに移動させる１軸アクチェータ（レンズ移動手段）３４，３３をそれぞれ備える。
【００６４】
図５（ｂ）は、１軸アクチェータ３４、３３を光軸方向ａにそれぞれ独立して駆動させて、第１カップリングレンズ３１、第２カップリングレンズ３２をそれぞれ移動させた様子を示したものである。
【００６５】
ところで、ＡＯＤとＤＶＤのように光源波長が異なる場合には、開口数（ＮＡ）や基板厚が同じであっても、レンズ系や基板で色収差が発生する。この色収差は、上記動作に加えて、１軸アクチェータ３４、３３で第１カップリングレンズ３１、第２カップリングレンズ３２をそれぞれ所定の距離だけさらに移動させることによって、カップリングレンズ系３からの光束を非平行にすることにより補正できる。従って、カップリングレンズ系３は光源切替えの時に、あらかじめこの色収差を考慮して駆動されることにより、常に収差のない良好なスポットを得ることができる。
【００６６】
すなわち、２つのレーザ光源１１Ｌ，１２Ｌの波長が異なり、１軸アクチェータ（レンズ移動手段）３４，３３により、アパーチャ（開口部）４１ａ，４１ｂの開口径に応じて第１カップリングレンズ３１、第２カップリングレンズ３２のうちの少なくとも１群のレンズを光軸方向ａに移動させた後、１軸アクチェータ３４，３３により、２つのレーザ光源１１Ｌ，１２Ｌのそれぞれの波長に応じて第１カップリングレンズ３１、第２カップリングレンズ３２のうちの少なくとも１群のレンズを光軸方向ａにさらに移動させる。なお、光学系のレーザ光源は２つに限定されるものではない。
【００６７】
図６に示すように、光ピックアップ装置の光学系１ｂにおいて、層状に形成された複数の記録面を持つ光情報記録媒体５の場合には、各層によって光透過層の厚さが異なるために、球面収差が発生する。この球面収差は、カップリングレンズからの光束を非平行にすることにより補正できる。第１層Ｌａｙ０の光透過層の厚さｔをｔ０とすると、これにより発生する球面収差は設計時にあらかじめ対物レンズ４２で補正されているので、カップリングレンズ系３からの光束は平行光となる。しかし、第２層Ｌａｙ１の時の光透過層の厚さｔをｔ１とすると、このｔ１とｔ０との差だけ球面収差が発生する。この時、第２カップリングレンズ３２は１軸アクチェータ３３により光軸方向ａに移動されてカップリングレンズ系３からの光束は非平行光となり、この球面収差を打ち消すような光束を対物レンズに入射させる。
従って、カップリングレンズ系３は光情報記録媒体５の各層の切替えの時に、この球面収差を補正するように第２カップリングレンズ３２が移動されることにより、常に収差のない良好なスポットを得ることができる。
【００６８】
すなわち、複数の光情報記録媒体のうち少なくとも１つの光情報記録媒体５が２つの記録面Ｌａｙ０，Ｌａｙ１を有するように層状に形成され、１軸アクチェータ（レンズ移動手段）３３により、アパーチャ（開口部）４１の開口径に応じて第１カップリングレンズ３１、第２カップリングレンズ３２のうちの少なくとも１群のレンズを光軸方向ａに移動させた後、１軸アクチェータ３３により、複数の記録面Ｌａｙ０，Ｌａｙ１に応じて第１カップリングレンズ３１、第２カップリングレンズ３２のうちの少なくとも１群のレンズを光軸方向ａにさらに移動させる。
なお、光情報記録媒体５の記録面は２層に限定されるものではない。
【００６９】
加えて、光情報記録媒体５のそれぞれの光透過層の厚さｔは、ディスク製造時や環境温度などにより設計厚に対して誤差が生じる。この誤差によって球面収差が発生するが、この球面収差はカップリングレンズ系３からの光束を非平行にすることにより補正できる。従って、光学系１ｂに図示しない光透過層厚さ測定手段を設けて、光情報記録媒体５のそれぞれの光透過層の厚さｔを測定し、その測定値に基づいて、カップリングレンズ系３が球面収差を補正するように移動することにより、常に収差のない良好なスポットを得るようにしてもよい。
すなわち、複数の光情報記録媒体のうち少なくとも１つの光情報記録媒体５は２つの記録面Ｌａｙ０，Ｌａｙ１に光透過層を有し、１軸アクチェータ（レンズ移動手段）３３により、アパーチャ（開口部）４１の開口径に応じて第１カップリングレンズ３１、第２カップリングレンズ３２のうちの少なくとも１群のレンズを光軸方向ａに移動させた後、１軸アクチェータ３３により、光透過層の厚さ誤差に応じて第１カップリングレンズ３１、第２カップリングレンズ３２のうちの少なくとも１群のレンズを光軸方向ａにさらに移動させる。
なお、光情報記録媒体５の記録面は２層に限定されるものではない。
【００７０】
また、レーザ光源１１Ｌ，１２Ｌの波長は設計波長を中心として、温度や出力パワーの変化によって変動する。この波長変動によって、レンズ系や基板で色収差が発生する。この色収差は、カップリングレンズ系３からの光束を非平行にすることにより補正できる。従って、光学系１ｂに図示しない波長測定手段を設けて、レーザ光源１１Ｌ，１２Ｌのそれぞれの波長を測定し、その測定値に基づいて、カップリングレンズ系３が色収差を補正するように移動することにより、常に収差のない良好なスポットを得るようにしてもよい。
すなわち、１軸アクチェータ（レンズ移動手段）３３により、アパーチャ（開口部）４１の開口径に応じて第１カップリングレンズ３１、第２カップリングレンズ３２のうちの少なくとも１群のレンズを光軸方向ａに移動させた後、１軸アクチェータ３３により、レーザ光源１１Ｌ，１２Ｌの波長変動に応じて第１カップリングレンズ３１、第２カップリングレンズ３２のうちの少なくとも１群のレンズを光軸方向ａにさらに移動する。
【００７１】
図７は、図６の光学系１ｂのカップリングレンズ系３とアクチュエータ４との間に球面収差検出手段５０を追加した例である。球面収差検出手段５０は、ビームスプリッタ６、レンズ７、ホログラム８、受光素子９などを備えている。なお、ホログラム８は２つの異なる回折領域８ａ，８ｂを有し、受光素子９は２つの受光素子９ａ，９ｂを有する。その他の構成は、図１と同様であるので説明を省略する。
【００７２】
この例では、光情報記録媒体５から反射した光束の一部がビームスプリッタ６にて反射して、レンズ７に集光され、回折領域８ａ，８ｂにて、それぞれ受光素子９ａ，９ｂへ向けて光束を回折する。そして、受光素子９ａと受光素子９ｂの受光量を比較することによって光情報記録媒体５の反射光の球面収差の量と方向を検出できる。なお、色収差がある場合についても、同様にこの検出手段で検出可能である。
したがって、このような球面収差検出手段５０により、カップリングレンズ系３の第１カップリングレンズ３１または第２カップリングレンズ３２を移動させて検出信号を０とすることにより、常にディスク面スポットに球面収差や色収差を発生させないようにすることができる。
すなわち、レーザ光源１１Ｌ，１２Ｌのうち少なくとも１つのレーザ光源に対応した球面収差検出手段５０を備える。
【００７３】
ところで、レーザ光源の半導体レーザは、出力パワーが変わると瞬時に波長も変わってしまう。したがって、再生時と記録時には波長がわずかに異なり、色収差が発生する。この色収差は瞬時に発生するため、カップリングレンズ系を駆動させて補正したのでは、時間的な遅れが出てしまい再生や記録エラーの原因となる。
この不具合を解決するには、カップリングレンズを色消しにするのが有効であり、特に図８に示すようにカップリングレンズ系３の固定側である、第１カップリングレンズ３１´に貼り合せレンズを用いる。すなわち、カップリングレンズ系３の第１カップリングレンズ３１´は、２つのレーザ光源１１Ｌ，１２Ｌのうち少なくとも１つ以上のレーザ光源からの光束を光情報記録媒体５の記録面上に集光して形成されるスポットの色収差を補正する色消しレンズである。
なお、この発明の光ピックアップ装置の光学系におけるレーザ光源は２つに限定されるものではない。
これにより、駆動部の重量を増やすことなく色収差をなくすことができる。なお、カップリングレンズ系３の第１カップリングレンズ３１´以外の構成は、図１と同様であるので説明を省略する。
【００７４】
図９に示すように、３つのホログラムユニット、すなわち第１ホログラムユニット１１，第２ホログラムユニット１２，第３ホログラムユニット１３を用いる場合、第２カップリングレンズ３２の移動距離が長くなりすぎる場合がある。このようなときには、例えばレーザ光源１１Ｌに対して、固定レンズ１１Ｓを設けることにより移動距離を短縮してもよい。すなわち、３つのレーザ光源１１Ｌ，１２Ｌ，１３Ｌのうち少なくとも１つ以上のレーザ光源（例えばレーザ光源１１Ｌ）と、カップリングレンズ系（カップリングレンズ）３との光路に、レーザ光源１１Ｌからの光束の発散度を変更する固定レンズ（レンズ）１１Ｓを備える。
なお、固定レンズ１１Ｓを設けるレーザ光源は１１Ｌに限定されるものではない。また、ホログラムユニットは３つに限定されるものではない。
この図のその他の構成は図１と同様であるので、説明を省略する。
【００７５】
以上の説明から明らかなようにこの発明によれば、簡易な構成で各々の光源からの光束を効率良くカップリングすると共に、光源の波長変動、多層ディスク、ディスクの基板厚誤差によって発生する色収差や球面収差をも補正可能な光ピックアップ装置を提供することができる。
なお、光ディスクドライブ装置に上述の光ピックアップ装置を搭載した構成としてもよい。
【図面の簡単な説明】
【００７６】
【図１】この発明の光ピックアップ装置の実施の形態における光学系の概略構成図であり、（ａ）は第１ホログラムユニットが発光したときであり、（ｂ）は第２ホログラムユニットが発光したときである。
【図２】図１におけるカップリングレンズ系の焦点距離を説明するための図であり、（ａ）は光記録媒体をＡＯＤとしたときの例であり、（ｂ）は光記録媒体をＤＶＤとしたときの例である。
【図３】（ａ），（ｂ）は図１におけるカップリングレンズ系を設計した実施例である。
【図４】図１のアクチュエータの詳細図であり、（ａ）は平面図であり、（ｂ）は概略断面図である。
【図５】（ａ），（ｂ）は、この発明の光ピックアップ装置の実施の形態における光学系の変形例を説明するための図である。
【図６】この発明の光ピックアップ装置の実施の形態における光学系の別の変形例を説明するための図である。
【図７】この発明の光ピックアップ装置の実施の形態における光学系のさらに別の変形例を説明するための図である。
【図８】この発明の光ピックアップ装置の実施の形態における光学系のさらに別の変形例を説明するための図である。
【図９】この発明の光ピックアップ装置の実施の形態における光学系のさらに別の変形例を説明するための図である。
【図１０】従来の光ピックアップ装置の光学系を説明するための図である。
【符号の説明】
【００７７】
１，１ａ，１ｂ，１ｃ    光学系
２，２１，２２    ビームスプリッタ
３    カップリングレンズ系（カップリングレンズ）
３１，３１´，Ｌ１    第１カップリングレンズ（１群のレンズ）
３２，Ｌ２    第２カップリングレンズ（１群のレンズ）
３３，３４    １軸アクチュエータ
４    アクチュエータ
４１，４１ａ，４１ｂ    アパーチャ（開口部）
４２，４２ａ，４２ｂ    対物レンズ
４３    ホルダ
４４    軸
４５    コイル
４６    マグネット
４７    立ち上げミラー
４８    支持部
５    光情報記録媒体
５ａ    ＤＶＤ（光情報記録媒体）
５ｂ    ＣＤ（光情報記録媒体）
１１，１１´    第１ホログラムユニット
１１ｈ，１２ｈ，１３ｈ    ホログラム素子
１１Ｌ，１１Ｌ１，１１Ｌ２，１２Ｌ，１３Ｌ    レーザ光源（光源）
１１ｐ，１２ｐ，１３ｐ    受光素子
１２    第２ホログラムユニット
１３    第３ホログラムユニット
ａ    光軸方向
ｆａ，ｆｂ    焦点距離
Ｌａｙ０    第１層
Ｌａｙ１    第２層
【図１】
2005259214.tif 000004
【図２】
2005259214.tif 000005
【図３】
2005259214.tif 000006
【図４】
2005259214.tif 000007
【図５】
2005259214.tif 000008
【図６】
2005259214.tif 000009
【図７】
2005259214.tif 000010
【図８】
2005259214.tif 000011
【図９】
2005259214.tif 000012
【図１０】
2005259214.tif 000013